(57)【要約】【課題】近年、先進諸国では紙幣発行、環境問題、ニューデール、サブプライムレート政策等公共事業拡大、不動産投資主体の金融、景気振興策が実施されたがこれら振興策は供給に対して十分な需要掘起しは困難で経済活動も短期収束に終わった。現代、コンピユータ予測等により需要予測と経済の将来性展望が容易に解析できるようになったが地球上では社会情勢、人口増加、環境破壊等による環境問題により長期的に安全な資産投資先を見出すことは困難であった。【解決手段】本発明では、長期的資産投資先に安全性の高い彗星、惑星、小惑星に存在する宇宙資源を人工衛星システムにより探査する。また前記人工衛星システム、資源、その情報を含む資産をコンピユータによりデータ解析して商品化し金融市場で売買することにより長期的に安全な経済需要創造、景気促進を実現することを特徴とする経済振興システムに関するものである。【選択図】図１
2018200583.tif 000002
【特許請求の範囲】
【請求項１】
惑星に存在する資源を前記惑星の所定軌道に配置する複数の人工衛星により探査し抽出した資源データをコンピータにより解析して資産化することにより経済活動およびまたは景気を向上することを特徴とする惑星資源探査システム
【請求項２】
惑星に存在する資源を前記惑星の所定軌道に配置する複数の人工衛星により量子レポーテーション通信システムを使用して探査し抽出した資源データをコンピータにより解析して資産化することにより経済活動およびまたは景気を向上することを特徴とする惑星資源探査システム
【請求項３】
オールトの雲およびまたはカイパーベルトに存在する惑星の資源を前記惑星の所定軌道に配置する複数の人工衛星により探査し抽出した資源データをコンピータにより解析して資産化することにより経済活動およびまたは景気を向上することを特徴とする惑星資源探査システム
【請求項４】
オールトの雲およびまたはカイパーベルトに存在する惑星の資源を前記惑星の所定軌道に配置する複数の人工衛星により量子レポーテーション通信システムを使用して探査し抽出した資源データをコンピータにより解析して資産化することにより経済活動およびまたは景気を向上することを特徴とする惑星資源探査システム
【請求項５】
惑星に存在する資源を前記惑星の所定軌道に配置する複数の人工衛星により探査し抽出した資源データと前記複数の人工衛星の担保価値とをコンピータにより解析して資産化することにより経済活動およびまたは景気を向上することを特徴とする惑星資源探査システム
【請求項６】
惑星に存在する資源を前記惑星の所定軌道に位置する複数の人工衛星により量子レポーテーション通信システムを使用して探査し抽出した資源データと前記複数の人工衛星の担保価値とをコンピータにより解析して資産化することにより経済活動およびまたは景気を向上することを特徴とする惑星資源探査システム
【請求項７】
オールトの雲およびまたはカイパーベルトに存在する惑星の資源を前記惑星の所定軌道に配置する複数の人工衛星により探査し抽出した資源データと前記複数の人工衛星の担保価値とをコンピータにより解析して資産化することにより経済活動およびまたは景気を向上することを特徴とする惑星資源探査システム
【請求項８】
惑星に存在する資源を前記惑星の所定軌道に配置する複数の人工衛星により探査し抽出した資源データと前記複数の人工衛星の構成システムの担保価値とをコンピータにより解析して資産化することにより経済活動およびまたは景気を向上することを特徴とする惑星資源探査システム
【請求項９】
惑星に存在する資源を前記惑星の所定軌道に配置する複数の人工衛星により量子レポーテーション通信システムを使用して探査し抽出した資源データと前記量子レポーテーション通信システムと前記複数の人工衛星との担保価値をコンピータにより解析して資産化することにより経済活動およびまたは景気を向上することを特徴とする惑星資源探査システム
【請求項１０】
オールトの雲およびまたはカイパーベルトに存在する惑星の資源を前記惑星の所定軌道に配置する複数の人工衛星により量子レポーテーション通信システムを使用して探査し抽出した資源データと前記量子レポーテーション通信システムと前記複数の人工衛星との担保価値をコンピータにより解析して資産化することにより経済活動およびまたは景気を向上することを特徴とする惑星資源探査システム
【請求項１１】
惑星に存在する資源を前記惑星の所定軌道に配置する複数の人工衛星により探査し抽出した資源データをコンピータにより解析して金融市場で資産化することにより経済活動およびまたは景気を向上することを特徴とする惑星資源探査システム
【請求項１２】
惑星に存在する資源を前記惑星の所定軌道に配置する複数の人工衛星により量子レポーテーション通信システムを使用して探査し抽出した資源データをコンピータにより解析して金融市場で資産化することにより経済活動およびまたは景気を向上することを特徴とする惑星資源探査システム
【請求項１３】
オールトの雲およびまたはカイパーベルトに存在する惑星の資源を前記惑星の所定軌道に配置する複数の人工衛星により探査し抽出した資源データをコンピータにより解析して金融市場で資産化することにより経済活動およびまたは景気を向上することを特徴とする惑星資源探査システム
【請求項１４】
オールトの雲およびまたはカイパーベルトに存在する惑星の資源を前記惑星の所定軌道に配置する複数の人工衛星により量子レポーテーション通信システムを使用して探査し抽出した資源データをコンピータにより解析して金融市場で資産化することにより経済活動およびまたは景気を向上することを特徴とする惑星資源探査システム
【請求項１５】
惑星に存在する資源を前記惑星の所定軌道に配置する複数の人工衛星により探査し抽出した資源データと前記複数の人工衛星の担保価値とをコンピータにより解析して金融市場で資産化することにより経済活動およびまたは景気を向上することを特徴とする惑星資源探査システム
【請求項１６】
惑星に存在する資源を前記惑星の所定軌道に配置する複数の人工衛星により量子レポーテーション通信システムを使用して探査し抽出した資源データと前記複数の人工衛星の担保価値とをコンピータにより解析して金融市場で資産化することにより経済活動およびまたは景気を向上することを特徴とする惑星資源探査システム
【請求項１７】
オールトの雲およびまたはカイパーベルトに存在する惑星の資源を前記惑星の所定軌道に配置する複数の人工衛星により探査し抽出した資源データと前記複数の人工衛星の担保価値とをコンピータにより解析して金融市場で資産化することにより経済活動およびまたは景気を向上することを特徴とする惑星資源探査システム
【請求項１８】
惑星に存在する資源を前記惑星の所定軌道に配置する複数の人工衛星により探査し抽出した資源データと前記複数の人工衛星の構成システムの担保価値とをコンピータにより解析して金融市場で資産化することにより経済活動およびまたは景気を向上することを特徴とする惑星資源探査システム
【請求項１９】
惑星に存在する資源を前記惑星の所定軌道に配置する複数の人工衛星により量子レポーテーション通信システムを使用して探査し抽出した資源データと前記量子レポーテーション通信システムと前記複数の人工衛星との担保価値をコンピータにより解析して金融市場で資産化することにより経済活動およびまたは景気を向上することを特徴とする惑星資源探査システム
【請求項２０】
オールトの雲およびまたはカイパーベルトに存在する惑星の資源を前記惑星の所定軌道に配置する複数の人工衛星により量子レポーテーション通信システムを使用して探査し抽出した資源データと前記量子レポーテーション通信システムと前記複数の人工衛星との担保価値をコンピータにより解析して金融市場で資産化することにより経済活動およびまたは景気を向上することを特徴とする惑星資源探探査システム
【請求項２１】
小惑星に存在する資源を前記小惑星の所定軌道に配置する複数の人工衛星により探査し抽出した資源データをコンピータにより解析して資産化することにより経済活動およびまたは景気を向上することを特徴とする惑星資源探査システム
【請求項２２】
小惑星に存在する資源を前記小惑星の所定軌道に配置する複数の人工衛星により量子レポーテーション通信システムを使用して探査し抽出した資源データをコンピータにより解析して資産化することにより経済活動およびまたは景気を向上することを特徴とする惑星資源探査システム
【請求項２３】
オールトの雲およびまたはカイパーベルトに存在する小惑星に存在する資源を前記小惑星の所定軌道に配置する複数の人工衛星により探査し抽出した資源データをコンピータにより解析して資産化することにより経済活動およびまたは景気を向上することを特徴とする惑星資源探査システム
【請求項２４】
オールトの雲およびまたはカイパーベルトに存在する小惑星に存在する資源を前記小惑星の所定軌道に配置する複数の人工衛星により量子レポーテーション通信システムを使用して探査し抽出した資源データをコンピータにより解析して資産化することにより経済活動およびまたは景気を向上することを特徴とする惑星資源探査システム
【請求項２５】
小惑星に存在する資源を前記小惑星の所定軌道に配置する複数の人工衛星により探査し抽出した資源データと前記複数の人工衛星の担保価値とをコンピータにより解析して資産化することにより経済活動およびまたは景気を向上することを特徴とする惑星資源探査システム
【請求項２６】
小惑星に存在する資源を前記小惑星の所定軌道に配置する複数の人工衛星により量子レポーテーション通信システムを使用して探査し抽出した資源データと前記複数の人工衛星の担保価値とをコンピータにより解析して資産化することにより経済活動およびまたは景気を向上することを特徴とする惑星資源探査システム
【請求項２７】
オールトの雲およびまたはカイパーベルトに存在する小惑星に存在する資源を前記小惑星の所定軌道に配置する複数の人工衛星により探査し抽出した資源データと前記複数の人工衛星の担保価値とをコンピータにより解析して資産化することにより経済活動およびまたは景気を向上することを特徴とする惑星資源探査システム
【請求項２８】
小惑星に存在する資源を前記小惑星の所定軌道に配置する複数の人工衛星により探査し抽出した資源データと前記複数の人工衛星の構成システムの担保価値とをコンピータにより解析して資産化することにより経済活動およびまたは景気を向上することを特徴とする惑星資源探査システム
【請求項２９】
小惑星に存在する資源を前記小惑星の所定軌道に配置する複数の人工衛星により量子レポーテーション通信システムを使用して探査し抽出した資源データと前記量子レポーテーション通信システムと前記複数の人工衛星との担保価値をコンピータにより解析して資産化することにより経済活動およびまたは景気を向上することを特徴とする惑星資源探査システム
【請求項３０】
オールトの雲およびまたはカイパーベルトに存在する小惑星に存在する資源を前記小惑星の所定軌道に配置する複数の人工衛星により量子レポーテーション通信システムを使用して探査し抽出した資源データと前記量子レポーテーション通信システムと前記複数の人工衛星との担保価値をコンピータにより解析して資産化することにより経済活動およびまたは景気を向上することを特徴とする惑星資源探査システム
【請求項３１】
小惑星に存在する資源を前記小惑星の所定軌道に配置する複数の人工衛星により探査し抽出した資源データをコンピータにより解析して金融市場で資産化することにより経済活動およびまたは景気を向上することを特徴とする惑星資源探査システム
【請求項３２】
小惑星に存在する資源を前記小惑星の所定軌道に配置する複数の人工衛星により量子レポーテーション通信システムを使用して探査し抽出した資源データをコンピータにより解析して金融市場で資産化することにより経済活動およびまたは景気を向上することを特徴とする惑星資源探査システム
【請求項３３】
オールトの雲およびまたはカイパーベルトに存在する小惑星に存在する資源を前記小惑星の所定軌道に配置する複数の人工衛星により探査し抽出した資源データをコンピータにより解析して金融市場で資産化することにより経済活動およびまたは景気を向上することを特徴とする惑星資源探査システム
【請求項３４】
オールトの雲およびまたはカイパーベルトに存在する小惑星に存在する資源を前記小惑星の所定軌道に配置する複数の人工衛星により量子レポーテーション通信システムを使用して探査し抽出した資源データをコンピータにより解析して金融市場で資産化することにより経済活動およびまたは景気を向上することを特徴とする惑星資源探査システム
【請求項３５】
小惑星に存在する資源を前記小惑星の所定軌道に配置する複数の人工衛星により探査し抽出した資源データと前記複数の人工衛星の担保価値とをコンピータにより解析して金融市場で資産化することにより経済活動およびまたは景気を向上することを特徴とする惑星資源探査システム
【請求項３６】
小惑星に存在する資源を前記小惑星の所定軌道に配置する複数の人工衛星により量子レポーテーション通信システムを使用して探査し抽出した資源データと前記複数の人工衛星の担保価値とをコンピータにより解析して金融市場で資産化することにより経済活動およびまたは景気を向上することを特徴とする惑星資源探査システム
【請求項３７】
オールトの雲およびまたはカイパーベルトに存在する小惑星に存在する資源を前記小惑星の所定軌道に配置する複数の人工衛星により探査し抽出した資源データと前記複数の人工衛星の担保価値とをコンピータにより解析して金融市場で資産化することにより経済活動およびまたは景気を向上することを特徴とする惑星資源探査システム
【請求項３８】
小惑星に存在する資源を前記小惑星の所定軌道に配置する複数の人工衛星により探査し抽出した資源データと前記複数の人工衛星の構成システムの担保価値とをコンピータにより解析して金融市場で資産化することにより経済活動およびまたは景気を向上することを特徴とする惑星資源探査システム
【請求項３９】
小惑星に存在する資源を前記小惑星の所定軌道に配置する複数の人工衛星により量子レポーテーション通信システムを使用して探査し抽出した資源データと前記量子レポーテーション通信システムと前記複数の人工衛星との担保価値をコンピータにより解析して金融市場で資産化することにより経済活動およびまたは景気を向上することを特徴とする惑星資源探査システム
【請求項４０】
オールトの雲およびまたはカイパーベルトに存在する小惑星に存在する資源を前記小惑星の所定軌道に配置する複数の人工衛星により量子レポーテーション通信システムを使用して探査し抽出した資源データと前記量子レポーテーション通信システムと前記複数の人工衛星との担保価値をコンピータにより解析して金融市場で資産化することにより経済活動およびまたは景気を向上することを特徴とする惑星資源探査システム
【請求項４１】
彗星に存在する資源を前記彗星の所定軌道に配置する複数の人工衛星により探査し抽出した資源データをコンピータにより解析して資産化することにより経済活動およびまたは景気を向上することを特徴とする惑星資源探査システム
【請求項４２】
彗星に存在する資源を前記彗星の所定軌道に配置する複数の人工衛星により量子レポーテーション通信システムを使用して探査し抽出した資源データをコンピータにより解析して資産化することにより経済活動およびまたは景気を向上することを特徴とする惑星資源探査システム
【請求項４３】
オールトの雲およびまたはカイパーベルトに存在する彗星に存在する資源を前記彗星の所定軌道に配置する複数の人工衛星により探査し抽出した資源データをコンピータにより解析して資産化することにより経済活動およびまたは景気を向上することを特徴とする惑星資源探査システム
【請求項４４】
オールトの雲およびまたはカイパーベルトに存在する彗星に存在する資源を前記彗星の所定軌道に配置する複数の人工衛星により量子レポーテーション通信システムを使用して探査し抽出した資源データをコンピータにより解析して資産化することにより経済活動およびまたは景気を向上することを特徴とする惑星資源探査システム
【請求項４５】
彗星に存在する資源を前記彗星の所定軌道に配置する複数の人工衛星により探査し抽出した資源データと前記複数の人工衛星の担保価値とをコンピータにより解析して資産化することにより経済活動およびまたは景気を向上することを特徴とする惑星資源探査システム
【請求項４６】
彗星に存在する資源を前記彗星の所定軌道に配置する複数の人工衛星により量子レポーテーション通信システムを使用して探査し抽出した資源データと前記複数の人工衛星の担保価値とをコンピータにより解析して資産化することにより経済活動およびまたは景気を向上することを特徴とする惑星資源探査システム
【請求項４７】
オールトの雲およびまたはカイパーベルトに存在する彗星に存在する資源を前記彗星の所定軌道に配置する複数の人工衛星により探査し抽出した資源データと前記複数の人工衛星の担保価値とをコンピータにより解析して資産化することにより経済活動およびまたは景気を向上することを特徴とする惑星資源探査システム
【請求項４８】
彗星に存在する資源を前記彗星の所定軌道に配置する複数の人工衛星により探査し抽出した資源データと前記複数の人工衛星の構成システムの担保価値とをコンピータにより解析して資産化することにより経済活動およびまたは景気を向上することを特徴とする惑星資源探査システム
【請求項４９】
彗星に存在する資源を前記彗星の所定軌道に配置する複数の人工衛星により量子レポーテーション通信システムを使用して探査し抽出した資源データと前記量子レポーテーション通信システムと前記複数の人工衛星との担保価値をコンピータにより解析して資産化することにより経済活動およびまたは景気を向上することを特徴とする惑星資源探査システム
【請求項５０】
オールトの雲およびまたはカイパーベルトに存在する彗星に存在する資源を前記彗星の所定軌道に配置する複数の人工衛星により量子レポーテーション通信システムを使用して探査し抽出した資源データと前記量子レポーテーション通信システムと前記複数の人工衛星との担保価値をコンピータにより解析して資産化することにより経済活動およびまたは景気を向上することを特徴とする惑星資源探査システム
【請求項５１】
彗星に存在する資源を前記彗星の所定軌道に配置する複数の人工衛星により探査し抽出した資源データをコンピータにより解析して金融市場で資産化することにより経済活動およびまたは景気を向上することを特徴とする惑星資源探査システム
【請求項５２】
彗星に存在する資源を前記彗星の所定軌道に配置する複数の人工衛星により量子レポーテーション通信システムを使用して探査し抽出した資源データをコンピータにより解析して金融市場で資産化することにより経済活動およびまたは景気を向上することを特徴とする惑星資源探査システム
【請求項５３】
オールトの雲およびまたはカイパーベルトに存在する彗星に存在する資源を前記彗星の所定軌道に配置する複数の人工衛星により探査し抽出した資源データをコンピータにより解析して金融市場で資産化することにより経済活動およびまたは景気を向上することを特徴とする惑星資源探査システム
【請求項５４】
オールトの雲およびまたはカイパーベルトに存在する彗星に存在する資源を前記彗星の所定軌道に配置する複数の人工衛星により量子レポーテーション通信システムを使用して探査し抽出した資源データをコンピータにより解析して金融市場で資産化することにより経済活動およびまたは景気を向上することを特徴とする惑星資源探査システム
【請求項５５】
彗星に存在する資源を前記彗星の所定軌道に配置する複数の人工衛星により探査し抽出した資源データと前記複数の人工衛星の担保価値とをコンピータにより解析して金融市場で資産化することにより経済活動およびまたは景気を向上することを特徴とする惑星資源探査システム
【請求項５６】
彗星に存在する資源を前記彗星の所定軌道に配置する複数の人工衛星により量子レポーテーション通信システムを使用して探査し抽出した資源データと前記複数の人工衛星の担保価値とをコンピータにより解析して金融市場で資産化することにより経済活動およびまたは景気を向上することを特徴とする惑星資源探査システム
【請求項５７】
オールトの雲およびまたはカイパーベルトに存在する彗星に存在する資源を前記彗星の所定軌道に配置する複数の人工衛星により探査し抽出した資源データと前記複数の人工衛星の担保価値とをコンピータにより解析して金融市場で資産化することにより経済活動およびまたは景気を向上することを特徴とする惑星資源探査システム
【請求項５８】
彗星に存在する資源を前記彗星の所定軌道に配置する複数の人工衛星により量子レポーテーション通信システムを使用して探査し抽出した資源データと前記量子レポーテーション通信システムと前記複数の人工衛星との担保価値をコンピータにより解析して金融市場で資産化することにより経済活動およびまたは景気を向上することを特徴とする惑星資源探査システム
【請求項５９】
彗星に存在する資源を前記彗星の所定軌道に配置する複数の人工衛星により量子レポーテーション通信システムを使用して探査し抽出した資源データと前記量子レポーテーション通信システムと前記複数の人工衛星との担保価値をコンピータにより解析して金融市場で資産化することにより経済活動およびまたは景気を向上することを特徴とする惑星資源探査システム
【請求項６０】
オールトの雲およびまたはカイパーベルトに存在する彗星に存在する資源を前記彗星の所定軌道に配置する複数の人工衛星により量子レポーテーション通信システムを使用して探査し抽出した資源データと前記量子レポーテーション通信システムと前記複数の人工衛星との担保価値をコンピータにより解析して金融市場で資産化することにより経済活動およびまたは景気を向上することを特徴とする惑星資源探査システム
【発明の詳細な説明】
【技術分野】
【０００１】
本発明は、宇宙資源探査により経済活動を創造し景気を向上することを特徴とする経済振興システムに関するものである。
【背景技術】
【０００２】
近年、既存のレアメタル、金属、石油、石炭、ガス、鉱物、鉱床等の天然資源枯渇を理由に地球、小惑星の資源探査が研究されている。
ここにおいて資源とは
地球、惑星、小惑星、彗星等に存在する宇宙資源であり
東京大学総合研究博物館による“宇宙資源”によれば
「無尽蔵の資源がある。現代文明に欠かせない鉄やハイテク産業の米と呼ばれる白金属、さらにはレアアースなど、多くの有用金属は地球の限られた場所に偏在している。酸化物として存在していることが多く、利用できる形に分離するには膨大なエネルギーが必要となる。これは地球環境にとって大きな問題だ。その上こうした有用金属の多くは、あと数十年で枯渇すると言われている。（文章省略）
こうした隕石を大量に手に入れることができたら、資源問題など、たちどころに解決するに違いない。近年ハヤブサ探査機によって、隕石の源は小惑星であることが明らかになった。それでは小惑星を地球に持ち帰ったら…？たとえば半径1km程度の金属型の小惑星を入手すれば、産業革命以降の鉄の総生産量に匹敵する金属鉄が得られることになる。さらに人類の歴史で生産した白金の総量の倍の量も一気に手に入ることになるのだ。もっと言うならば、液体炭化水素や固体アンモニアなど、すぐにでもエネルギーとして利用できる揮発性成分は、土星以遠にほぼ無尽蔵に存在している。これらを持ち帰れば、人類が資源の枯渇を気にする必要は無くなるだろう。」と言われている。
（宇宙資源）
東京大学総合研究博物館
http://www.um.u-tokyo.ac.jp/exhibition/2013SpaceResources_description.html
さらに、
INFOGRAPHICによる“地球を救う宇宙資源の可能性。未来の産業革命はもう間近”によれば
「現代版ゴールドラッシュ宇宙開発事業
国連の調査によると2100年に人口は91億人近くになるそうです。西暦元年には 1億人だった人口が1000年には2億人と倍になります。1500年に5億人、1900年には15億人、そして2011年に70億人。人口が増えると、食料とエネルギー需要問題が起こると想定されています。その解決策の一つとして、宇宙に眠る資源に期待が高まっています。今まで１万個以上、毎年1000個以上の小惑星が発見されています。宇宙にはどんな生き物がいて、どんな資源があるかの全貌はわかっていませんが、地球を救う資源は確認されています。宇宙産業は、もうすぐそこまで来ているかもしれません。」と言われているが資源調査については未開拓状態である。と言われている。
（地球を救う宇宙資源の可能性。未来の産業革命はもう間近）
INFOGRAPHIC
http://info-graphic.me/nature/1504
さらに、宇宙エレベーターニユースによれば
「すでにアメリカNASAにおいては2020年代半ばに小惑星から大きな岩石を月近傍の軌道まで移動させ、宇宙飛行士が直接探査して岩石のサンプルを持ち帰るミッション、ARMを検討している。計画全体は、無人探査機が小惑星に赴いて岩石を牽引するロボティクス探査ミッションと、宇宙飛行士がオライオン宇宙船に搭乗して月近傍の軌道上で小惑星とランデブーし、サンプルを持ち帰る有人探査ミッションの2段階となる大掛かりなものだ。」
（宇宙エレベーターニユース）
（NASA 小惑星捕獲計画詳細を発表 イトカワなど小惑星表面から岩石を捕獲）
http://senews.jp/satellite/2015/03/26/497
ところで、地球規模の資源に関しては
現在、探査に資源探査衛星等を使用している。
資源探査衛星は、電波等電磁波の性質を応用して資源探査をする。
詳細を説明すると、資源探査衛星は宇宙から地球の特定地域に向けて波長の異なる電磁波を放射し、地表からの電磁波反射を測定する。そして、その地域ごとの反射電磁波波長の違いを見ることによってその地域にどんな資源がどの割合で存在しているかを予測している。
これらの手法は主にリモートセンシンといわれている。
「リモートセンシングは、人工衛星や航空機等に搭載したセンサーを用いて、地表面のデータを広い範囲で迅速に取得できる手段です。リモートセンシングのセンサーには、地表面に当たった太陽光の反射スペクトルを測定する「光学センサー」や、雲や植生を透過して地表面の情報を得ることが可能な「合成開口レーダー」等があります。金属資源探査では、リモートセンシングは金属鉱床が分布する可能性がある地域を抽出するために利用されており、光学センサーは主に植生が少ない地域、合成開口レーダーは主に植生が多い地域の分析に利用されています。」
省略
「JOGMECでは、資源ポテンシャルが高いもののまだ十分な探鉱が行われていない南部アフリカの資源探査を行うために、様々な人工衛星データ等を利用した画像分析手法の研究を行っています。南部アフリカには正マグマ性の塊状ニッケル白金族鉱床、堆積性銅鉱床、アルカリ岩に付随するレアメタル鉱床など、地表に大規模な熱水変質帯が形成されにくい探査対象が多く、従来の分析手法では限界があります。このため、本技術開発では、合成開口レーダーデータや標高データ（DEM）による地形分析、可視光〜短波長赤外領域に加えて熱赤外領域のスペクトル分析、またこれらの複合利用を考慮しながら、鉱床タイプ毎最適な分析手法の研究を実施しています。」と言われている。
（JOGMEC  リモートセンシングによる探査技術開発）
http://www.jogmec.go.jp/metal/technology_004.html
次に経済問題について考察する。
WordPress 
（過剰な金融資産がもたらす危機）
http://takamineya.m35.coreserver.jp/www.nautpolis01.com/wordpress01/2015/06/23/%E9%81%8E%E5%89%B0%E3%81%AA%E9%87%91%E8%9E%8D%E8%B3%87%E7%94%A3%E3%81%8C%E3%82%82%E3%81%9F%E3%82%89%E3%81%99%E5%8D%B1%E6%A9%9F/
FXちゃお（外国為替取引高1日2兆ドル（200兆円）
http://www.fxciao.com/fx-beginner/fx-kiso/1124/
思想家 清水竜志のブログ
全世界の金融資産２京円超だったそうですっ☆（驚）
http://blogs.yahoo.co.jp/rmxjb364/10901807.html
YAHOOニュース
2008/11/20(木) 16:54 掲載
（EU）温室効果ガスの排出削減、世界的に停滞
http://news.yahoo.co.jp/pickup/27017
によれば「資産の過剰、余剰（剰余）は経済の一極集中化やこれに伴う人口、食糧、資源、環境問題等の原因となっている」。
例えば、「１日の為替市場には総額でいくらぐらいの資金が投入されているのか気になっている人もいると思いますが、2013年に発表された外国為替取引高では、FXを含む直物取引が1日あたり2兆ドル（200兆円）」といわれる。」年間では単純計算で２X３６５＝７００兆ドル約７京円に達する。
さらに、全世界の「2007年の金融資産は各種決算後の集計結果では２京円２０００兆円」と言われ前記外国為替取引高に匹敵する取引が行われた。
このような資産は過剰、余剰金は第１、２次産業では行場がないので第３次段業である「ヘッジファンドの投機資金や相対的に高い利回りを期待できそうな原油先物市場、物品買占めに流れ込んだりしている」。また、近年では排出量取引による他国への資産付替えが起こっている。しかし、これは環境を資産評価して販売取引しているだけで「温室効果ガスの削減が停滞」することはあっても経済的な需要創成にはならない。
２０００年&#8212;２００８年にかけて世界的に販売されたサブプライムローンは金融証券化した不動産、住宅ローンが需要となり資産化したが顧客に対してもともと抵当権（担保）が低いものを強引に売買したために後に巨大な債務、負債となった。
【先行技術文献】
【特許文献】
【０００３】
特許出願番号２０１７−００９０３６
【非特許文献】
【０００４】
【非特許文献１】宇宙資源東京大学総合研究博物館http://www.um.u-tokyo.ac.jp/exhibition/2013SpaceResources_description.html
【非特許文献２】地球を救う宇宙資源の可能性。未来の産業革命はもう間近INFOGRAPHIChttp://info-graphic.me/nature/1504
【非特許文献３】宇宙エレベーターニユースNASA 小惑星捕獲計画詳細を発表 イトカワなど小惑星表面から岩石を捕獲http://senews.jp/satellite/2015/03/26/497
【非特許文献４】ＪＯＧＭＥＣ  リモートセンシングによる探査技術開発http://www.jogmec.go.jp/metal/technology_004.html
【非特許文献５】WordPress （過剰な金融資産がもたらす危機）によればhttp://takamineya.m35.coreserver.jp/www.nautpolis01.com/wordpress01/2015/06/23/%E9%81%8E%E5%89%B0%E3%81%AA%E9%87%91%E8%9E%8D%E8%B3%87%E7%94%A3%E3%81%8C%E3%82%82%E3%81%9F%E3%82%89%E3%81%99%E5%8D%B1%E6%A9%9F/
【非特許文献６】FXちゃお（外国為替取引高1日2兆ドル（200兆円）http://www.fxciao.com/fx-beginner/fx-kiso/1124/
【非特許文献７】思想家 清水竜志のブログ全世界の金融資産２京円超だったそうですっ☆（驚）http://blogs.yahoo.co.jp/rmxjb364/10901807.html
【非特許文献８】YAHOOニュース2008/11/20(木) 16:54 掲載温室効果ガスの排出削減、世界的に停滞http://news.yahoo.co.jp/pickup/27017
【非特許文献９】（防衛省における宇宙開発利用の取り組みについて平成26年10月17日  防衛省  資料8-1  科学技術・学術審議会  研究計画・評価分科会宇宙開発利用部会  ＩＳＳ・国際宇宙探査小委員会）
【非特許文献１０】ＮＥＷＳＡＬＴ「2015年宇宙法」オバマ大統領が署名  宇宙資源の商業利用認めるhttp://newsalt.jp/science/%E3%80%8C2015%E5%B9%B4%E5%AE%87%E5%AE%99%E6%B3%95%E3%80%8D%E3%82%AA%E3%83%90%E3%83%9E%E5%A4%A7%E7%B5%B1%E9%A0%98%E3%81%8C%E7%BD%B2%E5%90%8D%E3%80%80%E5%AE%87%E5%AE%99%E8%B3%87%E6%BA%90%E3%81%AE
【非特許文献１１】Wikipediaオールトの雲https://ja.wikipedia.org/wiki/%E3%82%AA%E3%83%BC%E3%83%AB%E3%83%88%E3%81%AE%E9%9B%B2
【非特許文献１２】Wikipedia惑星間インターネットhttps://ja.wikipedia.org/wiki/%E6%83%91%E6%98%9F%E9%96%93%E3%82%A4%E3%83%B3%E3%82%BF%E3%83%BC%E3%83%8D%E3%83%83%E3%83%88
【非特許文献１３】C. H. Bennett, G. Brassard, C. Crepeau, R. Jozsa, A. Peres and W. K. Wootters, Phys. Rev. Lett. 70, 1895 (1993)
【非特許文献１４】Biglobe「量子テレポーテーションや重ね合わせは実在するのか？？」http://www7b.biglobe.ne.jp/~kcy05t/nitel.html
【非特許文献１５】「太陽光レーザーが拓くマグネシウム社会」日経サイエンス   2007年11月号http://www.nikkei-science.com/page/magazine/0711/200711_030.html
【非特許文献１６】「完全な量子テレポーテーション」東大研究チームが成功するNEVERまとめhttps://matome.naver.jp/odai/2137654385705068601
【発明の概要】
【発明が解決しようとする課題】
【０００５】
前記のように、宇宙資源が存在する彗星、小惑星、惑星は地球近傍軌道にも存在するが一般的にはオートルの雲、カイパーベルトのように地球からは遠距離軌道にある場合が多い。さらに
Wikipedia（オールトの雲）
https://ja.wikipedia.org/wiki/%E3%82%AA%E3%83%BC%E3%83%AB%E3%83%88%E3%81%AE%E9%9B%B2
Wikipedia（惑星間インターネット）
https://ja.wikipedia.org/wiki/%E6%83%91%E6%98%9F%E9%96%93%E3%82%A4%E3%83%B3%E3%82%BF%E3%83%BC%E3%83%8D%E3%83%83%E3%83%88
によれば
ところで「オールトの雲には1×1012（1兆個）単位の数の天体が含まれると推測されている。」
しかし惑星の有用資源に関する種類、埋蔵量等は地球からの天文観測でその詳細を把握することは困難である。
資源探査には前記遠距離軌道に人工衛星を飛行してリモートセンシングにより探査をすることが不可欠である。前記リモートセンシングでは衛星通信に親子機の惑星間インターネット等が有効であるが
「惑星間の距離では光速度の遅延は無視できないため、惑星間インターネットでは大幅な遅延に耐性のあるプロトコルと新しい技術の開発が必須となる」
「惑星間インターネットのようにネットワークのトポロジ変更や大きな遅延や外乱ノイズの混入が当たり前のネットワークでは、途絶が頻繁に起きるために経路の再計算が頻発し、通信自体が殆ど成立しなくなってしまう問題がある。」そこで遅延耐性ネットワークの構築が必要となる。
さらに、前記ネットワークを構築する衛星システムは極めて高額であるため実際の運営に対しては保険、保証対策上人工衛星担保の設定が不可欠である。
そこで、例えば一つの人工衛星システムに５０００万円担保を設定する。すると前記オールトの雲の１割である１００億個の資源探査するためには
５０００万X１００億個＝５０京円の担保物件設定となる。
従って、これを例えば証券担保として金融市場で資産化すれば新たな金融需要を創成することができる。さらに前記人工衛星により新たな宇宙資源が発見されるとこの宇宙資源を金融市場で公開して商品として資産化することによりさらなる宇宙産業の開発発展が可能となる。
これにより金融経済等の安全信用性が飛躍的に高まりビジネス需要が増大し確実性の高い長期プライムレートとして利用が可能となる。
さらに、人類にとって宇宙開発は果てることのない壮大長期的な目標希望であるため悲観失望による市場での株取引等投売、投機を抑制する利点がある。
【非特許文献１１】Wikipediaオールトの雲https://ja.wikipedia.org/wiki/%E3%82%AA%E3%83%BC%E3%83%AB%E3%83%88%E3%81%AE%E9%9B%B2
【非特許文献１２】Wikipedia惑星間インターネットhttps://ja.wikipedia.org/wiki/%E6%83%91%E6%98%9F%E9%96%93%E3%82%A4%E3%83%B3%E3%82%BF%E3%83%BC%E3%83%8D%E3%83%83%E3%83%88
【課題を解決するための手段】
【０００６】
現在、国際間協定では宇宙空間には国境概念がない。従って、人工衛星による惑星資源探査は地球上の領空、領海問題の解決手段として有効である。
また、ＮＥＷＳＡＬＴ（2015年宇宙法」オバマ大統領が署名  宇宙資源の商業利用認める）によれば
「米国のオバマ大統領は11月25日、米国の宇宙産業発展を目指す「2015年宇宙法」に署名した。同法は大きく「商業宇宙打上げ」「商業リモートセンシング」「宇宙商務局」「宇宙資源探査およびその利用」の4つのタイトルからなる。特に、4番目の「宇宙資源探査およびその利用」では、小惑星上で見つかった資源と宇宙空間での水や鉱物など非生物的資源について、所有、輸送、利用、販売することを認めている。」
と発表されており宇宙資源の先取り競争激化が予想される。
本発明は、宇宙資源の開発により新たな金融経済等の経済活動を創造して景気を向上することを特徴とする経済振興システムに関するものである。
本発明では
１.  宇宙空間の彗星、惑星、小惑星に存在する資源を探査するため人工衛星を飛行する。
２. 人工衛星およびそのシステムを保険、保障の担保とする人工衛星担保を設定して資産化する。
３．前記人工衛星により有用資源を発見し本資源を金融市場で資産化する。
４．彗星、惑星、小惑星は遠距離にあるため人工衛星の観測データ通信には信頼性問題がある。そこで量子テレポーテーションを使用し惑星間インターネット間で前記観測データを秘匿性,高信頼性に目的地点,地球上に伝達する。
５．前記資産価値をコンピユータにより解析して金融、先物市場で販売する。
６．彗星、惑星、小惑星を宇宙往復船等（シャトル）代用の運搬手段として活用するためこれの形状、質量、地表状況、物理的性質、軌道条件等を探査し本データを資産化する。
【非特許文献９】（防衛省における宇宙開発利用の取り組みについて平成26年10月17日  防衛省  資料8-1  科学技術・学術審議会  研究計画・評価分科会宇宙開発利用部会  ＩＳＳ・国際宇宙探査小委員会）
【非特許文献１０】ＮＥＷＳＡＬＴ「2015年宇宙法」オバマ大統領が署名  宇宙資源の商業利用認めるhttp://newsalt.jp/science/%E3%80%8C2015%E5%B9%B4%E5%AE%87%E5%AE%99%E6%B3%95%E3%80%8D%E3%82%AA%E3%83%90%E3%83%9E%E5%A4%A7%E7%B5%B1%E9%A0%98%E3%81%8C%E7%BD%B2%E5%90%8D%E3%80%80%E5%AE%87%E5%AE%99%E8%B3%87%E6%BA%90%E3%81%AE
【発明の効果】
【０００７】
本発明によれば、人工衛星およびその通信システムにより地球遠方宇宙空間に存在する資源を効率よく安全、迅速、低コストに資源探査できる。
人工衛星、その探査およびシステムに巨額な担保物件が設定できこれを証券担保等として資産化することが可能である。
前記システムにより発見された資源を商品として金融市場で公開し資産運用することにより宇宙開発費捻出が可能となる。
惑星、小惑星、彗星を宇宙往復船等（シャトル）代用運搬手段として活用すればロケット等運搬エネルギー節約となる。
宇宙空間開発は人類にとってチャレンジ精神、創造場となるのみならず金融市場等が長期的に活性化する利点がある。
【図面の簡単な説明】
【０００８】
【図１】本発明のシステムの原理図
【図２】本発明のシステムの概略図
【図３】本発明のシステムの他の概略図
【図４】本発明のシステムのフローチャート
【図５】本発明のシステムの他のフローチャート
【発明を実施するための形態】
【０００９】
本発明は惑星、小惑星、彗星に存在する資源探査を例えば特許出願番号２０１７−００９０３６に示すような人工衛星およびそのシステムを使用して測定データ等からコンピュータによりデータ解析して資源データを抽出する。本探査データを量子テレポーテーション技術等によりデータ化すれば目的地点、地球等へ秘匿性、高信頼性で伝達できる。
人工衛星およびそのシステム、探査データ、資源データをコンピュータでデータ解析して最適値を算出して金融市場で公開する。人工衛星およびそのシステム、測定データ、探査データの担保を証券化するとともに探査資源を金融市場で資産化して宇宙開発費に充てることが可能となる。
さらに、惑星、小惑星、彗星形状、周回軌道等物理条件を探査し宇宙往復船等（シャトル）代用の運搬手段として活用すればロケット等燃料エネルギーの節約とすることができる。
【実施例１】
【００１０】
本発明の宇宙資源探査により経済活動を創造して景気を向上することを特徴とする経済振興システムによれば資源探査人工衛星、そのシステムをコンピユータで解析して最適な担保価値を設定して資産化する。
惑星、小惑星、彗星に存在する資源探査ついては例えば特許出願番号2017&#8212;009036に示す人工衛星システムにより探査して資源データを抽出すればよい。
さらに、前記システムにより探査した測定データに包含する資源データを量子テレポーテーション技術等によりデータ化して中継地点、地球等へ秘匿性、高信頼性で伝達する。また惑星、小惑星、彗星形状、周回軌道等物理条件を探査しこれらを運搬手段として活用することでロケット等燃料エネルギー節約が可能となる。
始めに、本発明の惑星資源探査システムにおいて量子テレポーテーションを使用した通信システム原理を図１により説明する。
なおここでは量子テレポーテーション原理説明として
C. H. Bennett, G. Brassard, C. Crepeau, R. Jozsa, A. Peres and W. K. Wootters, Phys. Rev. Lett. 70, 1895 (1993)
Biglobe
「量子テレポーテーションや重ね合わせは実在するのか？？」
http://www7b.biglobe.ne.jp/~kcy05t/nitel.html
を参照した。
詳細を説明する。
レーザー等光源1からシステムに光子（以下光ビームと称す）L1を供給する。光ビームL1はビームスプレッター等光子分割手段2によりその光子エネルギーを光ビームL2、L3に分割する。光ビームL2は所定位置に配置した測定手段3（ベル測定）に伝達する。ここでは、測定手段3内には小惑星10に存在する資源１１を電波、赤外光等電磁波KD により測定して資源１１に対する測定データSDを出力する資源測定手段30と前記測定データSDにより光ビームL2に偏光、変調等作用を付与する光ビーム作用手段31を設ける。ここでは、小惑星10を例に説明するが惑星、彗星資源についても同様に使用が可能である。小惑星10、惑星、彗星はオールトの雲およびまたはカイパーベルトに存在するものを対照としてもよい。
光ビームL2は、光ビーム作用手段31により光学的作用を受け光ビームL8として所定位置に配置する光ビーム検知伝達手段5Aに伝達する。
光ビームL8には前記測定データSDが包含される。
光ビーム検知伝達手段5Aは光ビームL8から測定データSDを抽出して本データを電波等に変換して測定データSD1として所定位置に配置する分析手段6に伝達する。
測定データSD1は分析手段6に敷設したコンピユータ等で解析することで資源１１に関する物理的、化学的資源データを採取することができる。
ここにおいて光ビームL8については光の代わりに電波等電磁波を使用してもよい。この時光ビーム検知伝達手段5Aはその電波等電磁波を伝達する電波検知伝達手段でもよい。
さらに、測定手段３には光ビーム作用手段31で作用を受けた光ビームL2の光絡合状況を測定（弱測定）する絡合測定手段32を設ける。
一方、光ビームL3は所定位置に配置する観測手段4に伝達する。観測手段4には光ビームL3に絡合測定手段32からの絡合状況を光学的作用するため光絡合作用手段40とその作用を測定するため絡合測定手段41を設ける。
絡合測定手段41で測定した光ビームL3は光学的作用を受けた後光ビームL4として所定位置に配置する光ビーム検知伝達手段５Bに伝達する。
ここで、光絡合状況の関係とは前記絡合測定手段32で測定した光ビームL2の絡合状況を例えば無線通信等の古典的な情報転送経路である古典チャンネルKC等により絡合観測手段32から光絡合作用手段40を介して絡合測定手段41に伝達することである。
ここにおいて光ビームL4には光子の量子もつれにより資源11に対する測定データSDがテレポーテーションされる。光ビーム検知伝達手段5Bは光ビームL4から測定データSDを包含した測定データSD2を伝達する。光ビームL4は電波等電磁波でもよい。そのとき、光ビーム検知伝達手段5Bはその電波等電磁波を受信する電波検知伝達手段でもよい。
このようにして得られる測定データSD2は雑音等を考慮しなければほぼ測定データSDと同様に取扱うことができる。
測定データSD２はコンピユータ等で解析することで資源１１に関する物理的、化学的
資源データを採取することができる。
光ビーム検知手段5Bからの測定データSD2は分析手段６により測定データSD１と比較することにより精度高い資源データの取得できる。
次に、図１を参照した前記量子レポーテーション通信システムを使用した人工衛星による小惑星資源探査システム概略を図２により説明する。
なお、図２において同名同符号は図１と同様機能がある。
まず、レーザー光発生に太陽、超新星、銀河等光発生源100から飛来する光子LAを使用する。光発生源100から所定位置にある宇宙空間に人工衛星20を配置する。
光子LAは人工衛星20に内蔵されたレーザー発生手段21によりレーザー光ここでは光ビームL1に変換する。
ここにおいてレーザー光については
例えば１）光子LAを人工衛星20に搭載太陽電池等24により電力変換してこの電力によりレーザー発生手段21を駆動する。２）光子LAをレーザー発生手段21に内蔵する光源反射手段22、レーザー発生素子手段23等により光ビームL1に変換する。
を使用してもよい。
光発生源100によるレーザー発生については
「太陽光レーザーが拓くマグネシウム社会」
日経サイエンス   2007年11月号
http://www.nikkei-science.com/page/magazine/0711/200711_030.html
を参照すればよい。
光ビームL1は人工衛星20に内蔵されたビームスプレッター等光子分割手段2Aに入射する。光ビームL1は光子分割手段2Aにより光ビームL2、L3に分割する。光ビームL2は測定手段3（ベル測定、図示せず）が内蔵された宇宙空間所定位置に配置された人工衛星3Aに伝達する。
測定手段3には小惑星10に存在する資源11測定データSDを出力する資源測定手段30（図示せず）と光ビーム作用手段31（図示せず）が設けられている。
ここにおいて測定データSDとして小惑星10形状等を探査して惑星軌道を利用した運搬手段として使用するための運搬手段データとしてもよい。ここでは小惑星10を例に説明するが惑星、彗星資源についても同様に使用が可能である。
小惑星10、惑星、彗星はオールトの雲およびまたはカイパーベルトに存在するものを対照としてもよい。
光ビームL2は光ビーム作用手段31により作用を受け光ビームL8として所定位置に配置する光ビーム検知伝達手段５A（図示せず）を内蔵した人工衛星５A1に伝達する。
光ビームL8には前記のように測定データSDを包含する。
光ビーム検知伝達手段5Aは光ビームL8から測定データSDを抽出して電波等に変換して人工衛星3Aから測定データSD1として例えば地上の所定位置に配置する分析手段６（ここでは地球６０上）を内蔵した地上分析局６Aに伝達する。
測定データSD1をコンピユータ等で解析することで資源１１に関する物理的、化学的
な資源データを採取することができる。
ここにおいて、光ビームL8は電波等電磁波でもよいし光ビーム検知手段５Aはその電波等電磁波を受信する電波検知手段でもよい。
人工衛星3Aには光ビーム作用手段31で作用を受けた光ビームL２光絡合状況を測定（弱測定）する絡合観測手段32（図示せず）を設ける。
一方、光ビームL3は所定位置に配置する観測手段4（図示せず）を内蔵した人工衛星4Aに伝達する。人工衛星4Aには光ビームL3に絡合観測手段32から光の絡合状況を作用するため絡合作用手段40（図示せず）とその作用を観測するための絡合観測手段41（図示せず）を設ける。
絡合観測手段41で作用を受けた光ビームL3は光ビームL4として所定位置に配置する光ビーム検知手段5B（図示せず）を内蔵する人工衛星5B1に伝達する。
ここにおいて、前記絡合観測手段32からの絡合状況は例えば無線通信等古典的な情報転送経路である古典チャンネルKC等により絡合観測手段32から絡合観測手段41に伝達するようになっている。
光ビームL４には量子もつれにより資源11に対する測定データSDがテレポーテーションされる。光ビーム検知手段５Bは光ビームL4から測定データSDを抽出して測定データSD１として使用する。光ビームL4は電波でもよいし光ビーム検知手段5Bはその電波を受信する電波検知手段でもよい。
光ビーム検知伝達手段5Bは光ビームL4から測定データSD１を抽出して電波等に変換するとともに人工衛星5B1から測定データSD２として地球上の地上分析局６Aに伝達する。測定データSD２はコンピユータ等で解析することで資源１１に関する物理的、化学的資源データを採取することができる。
測定データSD2は測定データSD１と比較することにより精度高い資源データの取得できる。
ここにおいて測定データSD２は電波等電磁波でもよいし光ビーム検知手段５Bはその電波等電磁波を受信する電波検知手段でもよい。
本実施例では
１）人工衛星３Aから人工衛星5A1を介して直接地球の地上分析局6A1へ測定データSD１を伝達する。
２）人工衛星4Aから人工衛星5BA1を介して直接地球の地上分析局6A1へ測定データSD2を伝達する。
2通りの通信方法があるが
１）では人工衛星３A周囲の宇宙空間SH1にある障害物（図示せず）影響を受け
る欠点がある。
２）において人工衛星３Aを宇宙空間SH1にある資源11資源データSD検知用のみに使用すれば
光ビームL8による通信に支障があっても宇宙空間SH2が安全であれば量子レポーテーション通信システムにより測定データSD２が地上分析局6Aへ測定データSD1として伝達する。つまり測定データSD２から測定データSDがコンピユータにより真データとして使用できる。さらに量子化暗号によるデータセキュリティを付与することができる利点がある。
【実施例２】
【００１１】
次に、本発明の第２実施例を説明する。
本発明では、システムに使用する量子レポーテーション通信システムを複数化して測定データ制御が可能になるようにして測定データの抽出方法等の汎用性を高めることができる。
図３は本発明の量子レポーテーション通信システムを使用した人工衛星による小惑星資源探査システム概略を示している。
ここでは、小惑星10,10Aの資源探査を例に説明するが他の惑星、彗星の複数資源探査についても同様に使用が可能である。小惑星10,10A惑星、彗星はオールトの雲およびまたはカイパーベルトに存在するものを対照としてもよい。
本発明では複数テレポーテーション技術として「完全な量子テレポーテーション」東大研究チームが成功する。を参照した。
「完全な量子テレポーテーション」東大研究チームが成功する
NEVERまとめ
https://matome.naver.jp/odai/2137654385705068601
なお、図３において同名同符号は前記実施例と同様である。
図３において、本発明では前記実施例１と同様に光発生源100から飛来する光子LAを使用する。まず、宇宙空間の所定位置に人工衛星20Aを配置しこれに内蔵されたレーザー発生手段２１により光ビームL1（図示せず）を発生する。  
ここにおいて本実施例では、光ビームL1を人工衛星20Aに内蔵されたビームスプレッター等光子分割手段２５によりその光子エネルギーを光ビームL2、L3、L3Aに３分割する。
人工衛星3A,4Aの機能は実施例１と同様である。
以下、実施例１のように光ビームL2、L3は人工衛星3A,4Aに伝達する。ここにおいてここにおいて光ビームL3Aは宇宙空間所定軌道に位置する人工衛星50に内蔵された光ビーム通信制御手段51に伝達するようになっている。
光ビーム通信制御手段51は光ビームL2、L3の光絡合状況を観測するとともに
絡合観測手段32と絡合作用手段40からの光絡合状況を光ビームL3Aに光学的作用することにより制御して測定データSDに関する数々のデータ内容選択をする。
ここでは絡合観測手段32,絡合作用手段40,光ビーム通信制御手段51は例えば無線通信等の古典的な情報転送経路である古典チャンネルKC等で人工衛星3A,4Aを介して絡合するようになっている。
光ビーム通信制御手段51は宇宙空間の所定軌道に位置する人工衛星5B11
からの制御データCDにより制御される。
制御データCDは人工衛星5B11に内蔵された光ビーム検知伝達手段5Bに双方向性伝達機能を有した光ビーム検知制御伝達手段５Cから伝達される。
制御データCDは別の人工衛星（図示せず）に内蔵した光ビーム検知制御伝達手段（図示せず）により単独制御してもよい。
光ビーム検知制御伝達手段５Cは光ビームL4から測定データSDを抽出して測定データSD１を抽出して電波等に変換するとともに測定データSD２を地球上の地上分析局６A１に伝達する。ここにおいて、光ビームL4は電波でもよいし光ビーム検知手段5Bはその電波を受信する電波検知手段でもよい。
本実施例において量子レポーテーション通信システムを複数化して測定データSD2,SD3の制御をするため人工衛星20Aと同様な20B、人工衛星3Aと同様な人工衛星3A1、人工衛星４Aと同様な人工衛星4A1、人工衛星5A1と同様な人工衛星5A2、
人工衛星５B11と同様な人工衛星５B12を小惑星10Aが存在する宇宙空間の所定軌道に配置して資源11Aを探査してもよい。
ここでは人工衛星3A1内蔵の絡合観測手段（図示せず）,絡合作用手段51は例えば無線通信等の古典的な情報転送経路である古典チャンネルKC等で人工衛星3A,4A,4A1を介して絡合するようになっている。
光ビーム通信制御手段51は光ビームL2A1、L3A1の光絡合状況を観測するとともに
絡合観測手段32と絡合作用手段40からの光絡合状況を光ビームL3Aに光学的作用することにより制御し資源データSD３に関する数々のデータ内容選択をする。
資源11Aの測定データSD3はL82、SD３に包含されて地球上の中継局70Aを介して地上分析局６A１に伝達する。
次に本発明のシステム運用方法についてフローチャート図４,５を参照して説明する。
始めに、小惑星における資源探査計画の企画を立てる（ステップ１）。
ここでは小惑星を例に説明するが惑星、彗星についても同様に使用ができる。
小惑星、惑星、彗星はオールトの雲およびまたはカイパーベルトに存在するものを対照としてもよい。
ここにおいて小惑星資源探査とは
１）惑星間輸送手段としての資源探査。
荷物、資源を小惑星に設置してこれの運行軌道を利用して
所定場所例えば地球に運搬する。  
２）鉱物、金属、核燃料、レアメタル、水、ガス等の探査をする。
次に、資金を例えばクラウドファンド等資金調達機関により出資者から募る（ステップ２）。
前記資金を用途別に振分ける。更に追加資金を調達する（ステップ３,４）。
用途別に単数または複数の衛星および量子テレポーテーション通信システムを設計する（ステップ５）。
単数または複数の人工衛星および量子テレポーテーション通信システム製作をする（ステップ６）。
出資金に合わせて前記単数または複数の人工衛星、量子テレポーテーション通信システムの担保価値をコンピユータで最適値を設定して担保金の入札をする。
金額が合わなければ再度入札をする。（ステップ７,８）。
ここにおいて、担保設定は人工衛星および量子テレポーテーション通信システムの製作をする時に実行してもよい（ステップ５,８）。
単数または複数の人工衛星、システムを小惑星の所定軌道へ飛翔し資源探査を実行する（ステップ９）。
前記人工衛星およびそのシステムから量子テレポーテーション通信システム等により測定した測定データを目的地、地球上に伝達する。コンピユータにより測定データから資源データを抽出しその資源価値を分析する（ステップ１０）。
資源データを最適値で先物取引等金融市場に公開する（ステップ１１）。
金融市場で取引を実行し出資金を募る（ステップ１２）。
金融市場から配当金を受取る（ステップ１３）。
資源探査システム、資源データが資産化する（ステップ１４）。
新たなビジネス企画をするため再び小惑星における資源探査計画を企画する（ステップ１５,１）。
【００１２】
【産業上の利用可能性】
【００１３】
本発明の宇宙資源探査により新たな経済活動を創造して景気向上を実現することを特徴とする経済振興システムによれば
惑星、小惑星、彗星に存在する資源データが量子レポーテーション通信システム等を使用し惑星間インターネット間で資源データを秘匿性、高信頼性に目的地点、地球上に伝達することにより迅速、かつ低コストに資源探査ができる。人工衛星、その通信システム等を巨額な担保物件として資産化することができる。
さらに、前記人工衛星システムにより惑星、小惑星、彗星有用資源発見が可能となる。採収する資源を金融市場で公開して商品として売買すれば新たな宇宙開発費の捻出が可能となる。広大無辺の宇宙空間開発により恒久的な金融資産創造が可能となる。
【符号の説明】
【００１４】
１              光源  
２,２A          光子分割手段  
３              測定手段    
３A            人工衛星
４              観測手段      
４A            人工衛星         
５A,５B         光ビーム検知伝達手段
５A１,５B１     人工衛星
６              分析手段
６A,６A1        地上分析局
１０            小惑星
１１            資源
２０,２０A      人工衛星
２１            レーザー発生手段
２２            光源反射手段
２３            レーザー発生素子手段
２４            太陽電池等
２５            光子分割手段
３０            資源測定手段
３１            光ビーム作用手段
３２            絡合測定手段
４０            光絡合作用手段
４１            絡合測定手段
５０            人工衛星
５１            光ビーム通信制御手段
６０            地球
１００          光発生源
LA              光子
L1,L2,L3,L8,L3A  光ビーム
KC              古典チャンネル
SD,SD1,SD2      測定データ
KD              電磁波
【図１】
2018200583.tif 000003
【図２】
2018200583.tif 000004
【図３】
2018200583.tif 000005
【図４】
2018200583.tif 000006
【図５】
2018200583.tif 000007